(57)【要約】  移動家具部材（５）、特に家具本体に水平回動式に連結された家具跳扉用、例えば頭上キャビネットの跳扉用の保持調節装置である。本装置は、家具部材（５）にカップリング可能で長さ調節機能を備えた少なくとも１つの作動アーム（１０、１０’）を含んでおり、家具部材（５）が閉状態である時に作動アーム（１０、１０’）の長さ、及び／又は作動アーム（１０，１０’）の支持点位置が調節可能であることを特徴とする。
2008516109.tif 000002
【特許請求の範囲】
【請求項１】
移動家具部材、特に家具本体に水平回動式に連結された家具跳扉用、例えば頭上キャビネットの跳扉用の保持調節装置であって、
家具部材にカップリング可能で長さ調節機能を備えた少なくとも１つの作動アームを含んでおり、
家具部材（５）が閉状態である時に、前記作動アーム（１０、１０’）の長さ、及び／又は前記作動アーム（１０，１０’）の支持点位置が調節可能であることを特徴とする装置。
【請求項２】
作動アーム（１０、１０’）は、一方が他方にスライド挿入される少なくとも２つの作動アーム部材を有していることを特徴とする請求項１記載の装置。
【請求項３】
調節された長さの作動アーム（１０、１０’）を前もって調節するための少なくとも２つの作動アーム部材が、互いに摩擦連結していることを特徴とする請求項１又は２記載の装置。
【請求項４】
摩擦連結は、作動アーム（１０、１０’）の内壁（２１）を加圧するスプリング部（２０）によって提供されることを特徴とする請求項３記載の装置。
【請求項５】
作動アーム（１０、１０’）の長さは、停止装置（１５）によって最終的に固定されることを特徴とする請求項１から４のいずれかに記載の装置。
【請求項６】
停止装置（１５）は、テンションレバー（１４）を含んでいることを特徴とする請求項５記載の装置。
【請求項７】
停止装置（１５）は、テンションレバー（１４）によって可動な調節ロッド（２２）を含んでいることを特徴とする請求項６記載の装置。
【請求項８】
停止装置（１５）は、調節ロッド（２２）によって可動な楔形テンション部（２３）を含んでおり、クランプ部（２４）は、前記テンション部（２３）によって作動アーム（１０、１０’）の内壁（２１）に押し付けられることを特徴とする請求項７記載の装置。
【請求項９】
作動アーム（１０、１０’）の支持点は、移動家具部材（５）に設置された固定装置（２６）によって固定でき、前記固定装置（２６）の作動部材（２５）は、移動家具部材（５）が閉状態である時に外側から作動可能であることを特徴とする請求項１から８のいずれかに記載の装置。
【請求項１０】
固定装置（２６）は、移動支持部（２７）を有しており、該移動支持部の位置は、作動部材（２５）によって固定できることを特徴とする請求項９記載の装置。
【請求項１１】
支持部（２７）の位置は、スプリング式クランプ機構によって固定でき、よって作動部材（２５）は、前記クランプ機構に当接することを特徴とする請求項１０記載の装置。
【請求項１２】
家具本体と折畳み跳扉とを有した家具であって、
前記家具本体の戸棚カバーに水平に提供された第１回動軸の周囲で固定された第１跳扉部分と、
該第１跳扉部分に水平に提供された第２回動軸の周囲で回動式に連結された第２跳扉部分とを含んでおり、
請求項１から１１のいずれかに記載の保持調節装置が少なくとも１つ提供されていることを特徴とする家具。
【請求項１３】
請求項１から１２のいずれかに記載の移動家具部材に使用される長さ調節式作動アームの調節方法であって、
ａ．作動アーム（１０、１０’）を家具本体の第１回動軸の周囲に回動式に取り付け、移動家具部材（５）の第２回動軸の周囲に回動式に取り付けるステップと、
ｂ．移動家具部材（５）を閉位置にし、作動アーム（１０、１０’）の長さを変更するステップと、
ｃ．移動家具部材（５）を再び開くステップと、
ｄ．長さ調節式作動アーム（１０．１０’）を家具部材（５）を閉状態にしてセットした長さに最終的に固定するステップと、
を含んでいることを特徴とする方法。
【請求項１４】
請求項１から１２のいずれかに記載の移動家具部材に使用される作動アームの支持点位置の調節方法であって、
ａ．作動アーム（１０、１０’）を家具本体の第１回動軸の周囲に回動式に取り付け、移動家具部材（５）の第２回動軸の周囲に回動式に取り付けるステップと、
ｂ．移動家具部材（５）を閉位置にし、移動家具部材（５）の作動アーム（１０、１０’）の支持点位置を変更するステップと、
ｃ．移動家具部材（５）を再び開くステップと、
ｄ．移動家具部材（５）を閉状態にしてセットした作動アーム（１０、１０’）の支持点位置を最終的に固定するステップと、
を含んでいることを特徴とする方法。
【発明の詳細な説明】
【技術分野】
【０００１】
本発明は、移動家具部材の保持調節装置に関し、特に家具本体に水平回動式に連結された家具跳扉（例えば頭上キャビネットの跳扉(partial flap)）用の保持調節装置に関する。この装置は、その家具部材にカップリング(取り付け)でき、長さ調節機能を備えた少なくとも１つの作動アームを含んでいる。
【０００２】
本発明は、さらに、家具本体と、折畳み跳扉とを有した家具にも関する。この跳扉は、家具本体の戸棚カバーに水平に提供された第１回動軸の周囲で回動式に取り付けられた第１跳扉部分と、第１跳扉部分に水平に提供された第２回動軸の周囲で回動式に第１跳扉部分に連結された第２跳扉部分とを含む。
【０００３】
さらに、本発明は、長さ調節式作動アームの調節方法にも関し、移動家具部材に取り付けられた作動アームの支持点位置をセットする方法にも関する。
【背景技術】
【０００４】
移動家具部材、特に前述のような家具跳扉を移動させるには、いわゆるカバー位置決め装置が使用される。カバー位置決め装置は、作動アームを含み、家具跳扉を閉状態から開状態に回動させるものである。通常は、カバー位置決め装置は、家具本体の側壁に固定された取付体を有している。
【０００５】
一方、取付体から延び出ている作動アームは、家具跳扉あるいは、その一部に可動状態にて連結されている。家具本体及び／又は家具跳扉のサイズは、家具により異なるので、移動家具部材をその完全閉位置から完全開位置に移動させるのに必要な調節レバーアームの長さにも調節機能が必要である。様々なサイズの跳扉を様々な家具本体サイズに取り付けるための長さ調節式作動アームは、周知である。
【発明の開示】
【発明が解決しようとする課題】
【０００６】
しかし、従来技術では、その調節は非常に困難であり、長時間を要する。なぜなら、長さ調節式作動アームは、設置時に長さを粗調節し、家具跳扉を何度も開閉して必要な長さに調節することが必要だからである。これには、大変な時間が必要であり、最良の調節は、訓練を積んだ専門家によってのみ可能である。
【０００７】
従って、本発明の１つの目的は、作動アームの最良の長さ調節を高精度で提供することができる単純化された前述タイプの保持調節装置の提供である。
【課題を解決するための手段】
【０００８】
本発明のこの目的は、家具部材が閉状態であるときに作動アームの長さ、及び／又は作動アームの支持点位置の調節を可能にすることで達成される。
【０００９】
本発明に従った作動アームの調節は、工具を使用せずに実行できる。なぜなら、好適には、家具跳扉の閉動作中に、ユーザによって提供される家具部材の移動によって自動調節が行われるからである。これで反復調節や家具跳扉の反復開閉の手間が省略できる。家具跳扉が閉状態であるとき、作動アームは、調節済み“デフォルトセッティング”状態にある。
【００１０】
有利には、作動アームは、一方が他方にスライド挿入される少なくとも２つの作動アーム部材を有している。これら少なくとも２つの作動アーム部材は、調節された長さの作動アームを前もって調節するために互いに摩擦係合する。この摩擦係合によって作動アームは、その長さを変動できるが、デフォルト位置に到達すると調節済み位置となる。
【００１１】
摩擦係合は、好適には、作動アームの内壁を加圧するスプリング要素によって提供される。スプリング要素は、例えば高摩擦係数を有したプラスチック材料で提供できるが、あらゆる摩擦係合原理の利用が可能である。
【００１２】
作動アームの長さが跳扉の最終閉位置に到達してセットされるなら、作動アームへのアクセスは、跳扉を開くことで回復できる。この場合、作動アームの長さが停止装置で最終的に調節されるのが望ましい。迅速固定を提供するように停止装置がテンションレバーを有することが望ましい。
【００１３】
前述の作動アームの変更又は、追加として、本発明の改良は、作動アームの支持点が移動家具部品に設置された固定装置で調節できることである。この固定装置の作動部材は、家具部品が閉鎖されたときに外側から作動可能である。すなわち、家具跳扉に取り付けられた作動アームの支持位置は、変更でき、前もって調節できることを意味する。
【００１４】
本発明の家具は、家具本体と折畳み式跳扉を有する。
【００１５】
折畳み式跳扉は、家具本体の戸棚カバーに提供された水平な第１回動軸の周囲に回動式に提供された第１跳扉部分と、第１跳扉部分に提供された水平な第２回動軸の周囲に回動式に連結された第２跳扉部分とを含む。
【００１６】
本発明の家具は、さらに本明細書で解説されている種類の保持調節装置を有している。
【００１７】
本発明の長さ調節作動アームの調節方法は、以下のステップを含む。
【００１８】
作動アームを家具本体の第１回動軸の周囲に回動式に取り付け、移動家具部材の第２回動軸の周囲に回動式に取り付けるステップと、移動家具部材を閉位置にし、作動アームの長さを変更するステップと、
移動家具部材を再び開くステップと、長さ調節式作動アームを家具部材を閉状態にしてセットした長さに最終的に調節するステップである。
【００１９】
移動家具部材に使用される作動アームの支持点位置をセットする本発明の方法は、以下のステップを含む。
【００２０】
作動アームを家具本体の第１回動軸の周囲に回動式に取り付け、移動家具部材の第２回動軸の周囲に回動式に取り付けるステップと、移動家具部材を閉位置にし、移動家具部材の作動アームの支持点位置を変更するステップと、移動家具部材を再び開くステップと、移動家具部材を閉状態にしてセットした作動アームの支持点位置を最終的に調節するステップである。
【発明を実施するための最良の形態】
【００２１】
本発明のさらなる詳細と利点とを、以下において、添付図面を利用して詳細に説明する。
【００２２】
図１は、家具１の断面斜視図である。
【００２３】
家具１は、側壁２、戸棚カバー３及び引出し底４を有している。移動家具部材５は、２枚の跳扉部分６、６’を有した折畳み式跳扉を有しており、第１跳扉部分６は、水平な第１回動軸７の周囲に取り付けられている。第２跳扉部分６’は、第１跳扉部分６と水平な第２回動軸７’の周囲で回動式に連結されている。平面的あるいは、立体的な調節を提供する蝶番金具８は、２枚の跳扉部分６と６’の連結のために提供される。カバー設置装置９は、垂直側壁２に固定されている。
【００２４】
カバー設置装置９は、取付体１２と、取付体１２に回動式に取り付けられている作動アーム１０とを含んでいる。本発明に必須ではないため、取付体１２のこれ以上の説明は省略する。このような取付体１２は、本発明の目的に利用できるどのような装置でもよい。取付体１２は、家具跳扉５が家具本体に対して各回動位置に保持されるように回転モーメントによって作動アーム１０に力を付与できる構造である。作動アーム１０は、取付体１２の第１回動軸の周囲で回動でき、固定具１１を介して家具跳扉５（本件では、下方跳扉部分６’）の第２回動軸の周囲で回動できるように設置されている。
【００２５】
図２は、家具１の側壁２の内側の側面を図示する。
【００２６】
家具跳扉５の上方跳扉部分６は、調節式蝶番１３の手段で戸棚カバー３の下側に取り付けられている。カバー設置装置９は、側壁２に固定された取付体１２を含む。取付体１２には、長さ調節式作動アーム１０が回動式に取り付けられている。家具本体及び／又は家具跳扉部分６、６’のサイズが変動すると、家具跳扉５をその跳扉部分６、６’と共に完全閉位置にまで移動させ、跳扉部分６、６’が家具本体の前面で面一とするように作動アーム１０の長さも変動させなければならない。作動アーム１０は、少なくとも１つの作動アーム部分１０’を有している。作動アーム部分１０’は、跳扉部分６’に固定具１１の回動軸１１’によって回動式に連結されており、作動アーム１０に対して移動することができる。好適には、作動アーム部分１０’は、作動アーム１０の内部に望遠鏡式にスライド挿入される。作動アーム１０と部分１０’は、摩擦係合によって長さが予め設定調節できるように連結されており、停止装置１５のテンションレバー１４によって互いに最終的に固定できる。
【００２７】
図３は、調節プロセスの別段階における２つの跳扉部分６、６’及び望遠鏡式作動アーム１０’を有した作動アーム１０の位置を示す。
【００２８】
作動アーム１０、作動アーム部分１０’の長さは、短過ぎるので、２枚の跳扉部分６、６’は、意図するようには、閉鎖せず、家具本体の前面にて面一状態とはならない。跳扉部分６、６’は、蝶番金具８の領域に対して手の圧力で閉位置にできる。よって、作動アーム１０、作動アーム部分１０’の長さは、変更される。このことは、作動アーム１０の作動アーム部分１０’との摩擦係合連結によって可能である。好適には、作動アーム１０、作動アーム部分１０’は、調節プロセス開始時には、実質的に引込み位置にある。
【００２９】
図４は、調節プロセスの次段階の家具１の断面側面図である。
【００３０】
家具跳扉５の両跳扉部分６、６’は、閉位置にあり、作動アーム１０と作動アーム部分１０’とは、相対位置を変えており、引出し状態である。両跳扉部分６、６’は、家具本体の前面にてほぼ面一である。
【００３１】
図５は、長過ぎる作動アーム１０、作動アーム部分１０’を有した家具の断面側面図である。
【００３２】
作動アーム１０、作動アーム部分１０’が当初に短過ぎあるいは、長過ぎると、２枚の跳扉部分６、６’は、家具本体に対して正確には平行になっていない。２枚の跳扉部分６、６’の未調節位置は、システム全体の変形によることもある。作動アーム１０、作動アーム部分１０’を短くするため、下方エッジ１６の領域の下方跳扉部分６’は、蝶番金具８の手前の中央回動点の領域が他方の手で外側に引かれ、家具本体から多少離れるように移動するとき、矢印の反対方向に家具本体に向かって移動される。これで作動アーム部分１０’を有した作動アーム１０の長さが減少し、２枚の平行跳扉部分６、６’は、家具本体と正確に整合することができる。家具跳扉５の意図する移動の目的のため、作動アーム１０が必要な長さに調節され、提供される摩擦連結の作用によって長さが予め調節固定される。
【００３３】
作動アーム１０、１０’が当初位置で短過ぎる場合、家具跳扉５は、家具本体に対していくらかアーチ状となるであろう。この場合、アーチ状家具跳扉５を蝶番金具８領域の外側から家具本体に押し付けることで作動アーム１０、１０’は、長くなる。両跳扉部分６、６’は、このように家具本体に対して平行状態に提供できる。
【００３４】
図６は、調節プロセスの次の段階にある家具１を示す断面図である。
【００３５】
家具跳扉５は、図示のごとく再び開状態にあり、以前は、常に緩状態であったテンションレバー１４がアクセス可能となる。テンションレバーは、停止装置１５（図示せず）の一部であり、テンションレバーによって長さ調節式作動アーム１０、１０’は、家具跳扉５の閉鎖中に予め固定された位置に最終的に固定される。テンションレバー１４は、作動アーム１０，１０’の外側領域と実質的に面一となり、テンションレバー１４が不意に開くことを効果的に防止する。
【００３６】
図７は、閉位置にある２枚の跳扉部分６，６’を有する家具１を示す断面図であり、図６で説明したように作動アーム１０は、テンションレバー１４によって最終的に固定されている。最終固定までの調節プロセスは、１回の閉動作と１回の開動作のみで成る。
【００３７】
図８ａは、長さ調節式作動アーム１０、１０’の１実施例を示している。図８ｂと図８ｃは、図８ａのＤ１とＤ２の詳細をそれぞれ示している。
【００３８】
図８ａは、図８ｂに示すごとく、互いの移動に対抗する摩擦連結部１７によって一体に提供される作動アーム１０とその調節式作動アーム部分１０’を示している。
【００３９】
作動アーム１０内部の摩擦連結部１７は、保持部分１８を有しており、圧力スプリングの形態であるスプリング要素１９は、筒孔部内に収容されている。スプリング要素１９によって作用される圧力部２０は、作動アーム１０の内側２１に対して継続的に加圧される。摩擦力を超える力が加われば作動アーム１０、１０’は、移動するが、その力は、２つの作動アーム１０、１０’を予め固定するのに十分である。最終的な固定には、端部が楔形テンション要素２３に形成された調節ロッド２２を含む停止装置１５が提供される。
【００４０】
図８ｂでも示す調節ロッド２２がテンションレバー１４の作用によって左側に移動すると、圧力がクランプ要素２４の対応領域上にテンション部分２３の楔形領域を介して提供され、クランプ要素２４が作動アーム１０の内壁２１に押し付けられることで２つの可動レバー１０．１０’を安定的に固定させる。
【００４１】
図８ｃは、図８ａのＤ２を詳細に示しており、作動アーム部分１０’の側部は、家具本体に固定できる取付体１２に連結されている。テンションレバー１４を作動アーム部分１０’に作用させて調節ロッド２２のヘッド３８を支持する偏心部３７を移動させる。偏心部３７を移動させることで、調節ロッド２２もヘッド３８を介して移動され、図８ｂに関して説明したように楔形テンション部２３が移動する。
【００４２】
図９は、本発明の改良例を示しており、家具部材５が閉鎖された時に作動アーム１０，１０’の支持点位置が調節可能である。図９は、戸棚カバー３とキャビネットベース４を有する家具１の側壁２の断面を示している。
【００４３】
２枚の家具跳扉部分６，６’の形態である移動家具部材５が戸棚カバー３の下側に固定された蝶番１３に取付けられている。２枚の家具跳扉部分６，６’は、水平軸を介して調節式の平面的あるいは、立体的な調節を提供する蝶番金具８に互いに接続されている。作動アーム１０，１０’が堅く連結されたカバー設置装置９の取付体１２は、側壁２に固定されている。作動アーム１０，１０’は、下方跳扉部分６’に連結されており、作動アーム１０，１０’の支持点位置は、下方跳扉部分６’に取付けられた固定装置２６によって固定できるため、家具部材５が閉鎖されたときに固定装置２６の作動部材２５を外側から作動させることができる。支持点位置に提供された固定装置２６は、好適には、作動アーム１０，１０’が長さ調節式でない場合に提供されるが、跳扉のサイズによっては、家具引渡し時に既に提供されている。支持点位置のこの調節によって様々な家具に対応することができる。
【００４４】
図１０は、図９に示す家具１の断面図であり、作動アーム１０，１０’の支持点位置を予め固定する調節プロセスの別ステップを示している。
【００４５】
図示のごとく作動アーム１０，１０’の支持点位置は、下方跳扉部分６’に対して低過ぎる状態にあるため、両跳扉部分６、６’は、家具本体上で面一となることができない。作動部材２５が固定装置２６に関してクランプ連結状態でない限り、支持部２７を固定装置２６内で跳扉部分６’に対して垂直に調節して対応できる。作動部材２５は、キャビネットベース４の下方エッジを越えて突出しているため、家具跳扉５が閉鎖状態であっても作動可能である。図３に示すごとく作動アーム１０，１０’が短過ぎる場合は、両跳扉部分６、６’は、蝶番金具８領域にある家具跳扉５上の圧力によって閉位置方向へ移動され、作動アーム１０，１０’の長さを調節できない場合は、支持部２７が固定装置２６と跳扉部分６’に対して上方にスライドする。
【００４６】
図１１は、両跳扉部分６、６’の位置を示しており、作動アーム１０，１０’は、下方跳扉部分６’に対して高過ぎる状態にある。図５に示すように、作動アーム１０，１０’が長過ぎる場合、下方エッジ領域の下方跳扉部分６’（本例では、作動部材２５）は、矢印の反対方向に家具本体に向かって移動され、同時に跳扉部分６、６’は、長さが変わらない作動アーム１０，１０’と共に支持部２７が下方跳扉部分６’に対して僅かに下方にスライドするように、蝶番金具８の領域へ他方の手で外側に僅かに引かれる。
【００４７】
図１２は、作動アーム１０，１０’の支持点位置を予め固定する別段階の調節プロセスを示しており、２枚の跳扉部分６、６’は、家具本体の前面で面一状態である。垂直に上方へ押されることによって家具跳扉５を閉じた状態で作動部材２５を作動させることができる。
【００４８】
図１３は、作動アーム１０，１０’の支持点位置の調節プロセスの続きを示している。固定装置２６の作動部材２５を押すことによって支持部２７が予め固定されており、“デフォルトセッティング”状態である。作動部材２５は、実質的にキャビネットベース４の下方エッジに接している。
【００４９】
図１４は、２枚の跳扉部分６、６’が再び開状態にされた後の調節プロセスの続きを示している。作動部材２５を完全に最終位置へ提供することで支持部２７が最終的に固定される。支持点を上述のごとく調節して得られた作動アーム１０，１０’の長さによって跳扉部分６、６’を意図した開閉位置に提供できる。
【００５０】
図１５は、作動アーム１０，１０’が回動式に連結された支持部２７の固定位置を有する２枚の跳扉部分６、６’の閉位置を示している。最終固定状態では、固定装置２６の作動部材２５は、固定装置２６に押し込まれているため外側からは、見えない。作動アーム１０，１０’の支持点位置の調節方法は、作動アーム１０，１０’の長さが調節できない場合、あるいは、必要であれば、長さ調節式作動アーム１０，１０’を利用した場合のいずれかで利用できる。
【００５１】
図１６は、作動アーム１０，１０’の支持点位置の調節と固定を示している部分的に分解された詳細図Ｄ３を含む図９から図１５の家具１の斜視図である。カバー設置装置９は、詳説しないが家具１の側壁２に固定された取付体９を含んでいる。さらに、カバー設置装置９は、連結ピース２０を介して固定装置２６の支持部２７と回動式に連結された作動アーム１０，１０’を含んでいる。固定装置２６は、下方跳扉部分６’の背面に取付けられており、可動レバー形態の作動部材２５を含んでおり、作動されると支持部２７のクランプとして作用する。
【００５２】
図１７ａから図１７ｅは、移動家具部材５に連結された作動アーム１０，１０’の支持点位置を調節及び固定する固定装置２６の多様な詳細図である。図１７ａは、固定装置２６の斜視図であり、図１７ｂは、非ストレス状態にあるカバーフレーム２９を外した固定装置２６を示し、図１７ｃは、ストレス状態にある部分的に分解されたカバーフレーム２９を含んだ固定装置２６を示し、図１７ｄは、図１７ｂの非ストレス状態にある固定装置２６のＣ−Ｃ軸での断面図であり、図１７ｅは、図１７ｃのストレス状態にある固定装置２６のＢ−Ｂ軸での断面図である。
【００５３】
図１７ａは、支持部２７が垂直調整可能であるように支持された固定装置２６の斜視図である。僅かな差のみが調節されるため、ここでの調節経路は、狭い領域に限定されている。
【００５４】
図１７ｂは、固定装置２６の正面断面図である。支持部２７は、クランプ機構において互いに平行な２つのクランプ具３２、３２’間に配置される垂直バー３４（図示せず）を有している。支持部２７の位置は、作動部材２５が２つのクランプ具３２、３２’に当接するクランプ機構によって固定できる。２つの歯形クランプ具３２、３２’には、外側に向かうようにスプリング要素３１の力が作用するため、支持部２７の垂直バー３４は、クランプされない。支持部２７は、このようにして歯形クランプ具３２、３２’の一部領域内にある図１７に示す位置に可動式に保持される。歯形クランプ具３２、３２’は、その下方領域に傾斜領域３３，３３’を有している。作動部材２５が上方に移動すると、傾斜領域３３、３３’を介してスプリング要素３１の力に対抗した圧力がかかり、その結果２つの歯形クランプ具３２、３２’は、共に押されてこれらの間にある垂直バー３４をクランプする。
【００５５】
図１７ｃは、このストレス位置を示している。
【００５６】
図１７ｄは、図１７ｂのＣ−Ｃ軸に沿った断面図であり、歯形クランプ具３２、３２’は、垂直バー３４から少し離れている。
【００５７】
図１７ｅは、図１７ｃのＢ−Ｂ軸に沿った断面図であり、歯形クランプ具３２、３２’は、垂直バー３４に接することでこれをクランプしている。
【００５８】
図１８ａは、作動部材２５によって固定される支持部２７を有した固定装置２６を示す斜視図である。
【００５９】
図１８ｂは、カバーフレーム２９を有する固定装置２６の分解図であり、カバーフレームは、垂直孔３６を有している。組み立てられた状態では、支持部２７は、孔３６を通って突き出ている。支持部２７の背面には、垂直バー３４が提供されており、歯形クランプ具３２、３２’によってクランプされる。上方領域では、家具跳扉５が閉じている時に作動される作動部材２５が支持部２７を所定位置に固定できるよう、クランプ具３２、３２’は、連結部３５によって一体的に保持され、固定フレーム３０にねじ止めされている。
【００６０】
本発明は、上述の実施例のみに限定されず、請求の範囲内にある全ての均等物が含まれる。上方、下方、横等の位置の詳細は、通常の設置位置、又は、図面で示した位置であり、位置に変更があれば当然に新しい位置へ移動される。本発明の保持調節装置は、折畳み跳扉５での使用に限られず、作動アーム１０、１０’によって移動されるあらゆる家具跳扉５を含んでいる。長さ調節式作動アーム１０、１０’の調節プロセスでは、オリジナル位置は、好適には、引込み状態である。しかし調節レバーアーム１０、１０’を延びた位置から引込み位置へ戻すようにしてもよい。
【図面の簡単な説明】
【００６１】
【図１】本発明による保持調節装置を有した家具の断面斜視図である。
【図２】作動アームの調節プロセス開始時の図１で示す家具の断面図である。
【図３】作動アームの別段階の調節プロセスにある家具の断面図である。
【図４】平行（面一）状態にある跳扉部分を有した家具の断面図である。
【図５】作動アームが短状態の家具を示す断面である。
【図６】テンションレバーがロックされた状態の家具を示す断面図である。
【図７】作動アームが最終的に調節された閉位置の家具を示す断面図である。
【図８】図８ａから図８ｃは、本発明の実施例による様々な段階の長さ調節式作動アームを示す断面図である。
【図９】当初位置にある作動アームの支持点位置を調節する固定装置を備えた本発明の別実施例の断面図である。
【図１０】低状態にある作動アームの支持点位置を示す家具の断面図である。
【図１１】高状態にある作動アームの支持点位置を示す図９と図１０のアレンジの断面図である。
【図１２】跳扉部分が平行（面一）状態にある図９から図１１のアレンジを示す断面図である。
【図１３】調節済み作動部材を備えた図１２の状態後の別段階の調節プロセスを示す断面図である。
【図１４】最終的に調節された作動アームの支持点位置を示す調節プロセスの別段階の断面図である。
【図１５】跳扉部分が閉状態である最終調節された支持点位置を示す家具の断面図である。
【図１６】固定装置の詳細を示す図９から図１５の家具の断面斜視図である。
【図１７】図１７ａから図１７ｅは、支持点位置を調節する固定装置の様々な詳細図である。
【図１８】図１８ａと図１８ｂは、固定装置の斜視図及び分解図である。
【図１】
2008516109.tif 000003
2008516109.tif 000004
【図２】
2008516109.tif 000005
【図３】
2008516109.tif 000006
【図４】
2008516109.tif 000007
【図５】
2008516109.tif 000008
【図６】
2008516109.tif 000009
【図７】
2008516109.tif 000010
【図８ａ】
2008516109.tif 000011
【図８ｂ】
2008516109.tif 000012
【図８ｃ】
2008516109.tif 000013
【図９】
2008516109.tif 000014
【図１０】
2008516109.tif 000015
【図１１】
2008516109.tif 000016
【図１２】
2008516109.tif 000017
【図１３】
2008516109.tif 000018
【図１４】
2008516109.tif 000019
【図１５】
2008516109.tif 000020
【図１６】
2008516109.tif 000021
【図１７ａ】
2008516109.tif 000022
【図１７ｂ】
2008516109.tif 000023
【図１７ｃ】
2008516109.tif 000024
【図１７ｄ】
2008516109.tif 000025
【図１７ｅ】
2008516109.tif 000026
【図１８ａ】
2008516109.tif 000027
【図１８ｂ】
2008516109.tif 000028
【国際調査報告】
2008516109.tif 000029
2008516109.tif 000030
2008516109.tif 000031
2008516109.tif 000032